(57)【要約】【課題】コンパクトでスタイリッシュに形成でき、組み立て易くなるなど、より合理的な形態に構成された湯水混合栓柱を提供する。【解決手段】水とお湯とが別々に供給される立上り管部２０を備えることで水栓柱状に起立した状態に設置され、立上り管部２０の上側に、供給された湯水を混合する湯水のミキシング部３３を備えることで湯水を混合させて吐出させることができる湯水混合栓柱において、立上り管部２０が、立上り外管２１と、該立上り外管２１の内部に二重管となるように配された立上り内管２２とによって構成されている。【選択図】図１
2019178493.tif 000002
【特許請求の範囲】
【請求項１】
水とお湯とが別々に供給される立上り管部を備えることで水栓柱状に起立した状態に設置され、前記立上り管部の上側に、供給された湯水を混合する湯水のミキシング部を備えることで湯水を混合させて吐出させることができる湯水混合栓柱において、
前記立上り管部が、立上り外管と、該立上り外管の内部に二重管となるように配された立上り内管とによって構成されていることを特徴とする湯水混合栓柱。
【請求項２】
前記立上り管部が、水又はお湯の供給源である第１給液源及び第２給液源に接続されるように、前記第１給液源に接続されると共に前記立上り外管の下端に接続される連通路が形成された外管入口接続部、及び該外管入口接続部の下側に配されて前記第２給液源に接続されると共に前記立上り内管の下端に接続される連通路が形成された内管入口接続部が設けられている湯水入口本体を備えることを特徴とする請求項１記載の湯水混合栓柱。
【請求項３】
前記湯水のミキシング部が設けられ、且つ、前記立上り外管の上端に接続されると共に前記湯水のミキシング部への連通を開閉する第１水栓が形成される外管出口接続部、及び該外管出口接続部の上側に配されて前記立上り内管の上端に接続されると共に前記湯水のミキシング部への連通を開閉する第２水栓が形成される内管出口接続部が設けられている湯水出口本体を備えることを特徴とする請求項１又は２記載の湯水混合栓柱。
【請求項４】
前記湯水出口本体が、前記湯水のミキシング部、前記第１水栓及び前記第２水栓が設けられる部位となるミキシング本体と、該ミキシング本体の上端を塞ぐと共に前記外管出口接続部の上端を塞ぐ部位、及び前記立上り内管の上端に接続されて前記内管出口接続部を構成する部位を備える内嵌胴体とによって構成されていることを特徴とする請求項３記載の湯水混合栓柱。
【請求項５】
前記第１給液源が給水源であり、前記立上り外管及び前記第１水栓が水を通水するための構成であって、前記第２給液源が給湯源であり、前記立上り内管及び前記第２水栓がお湯を通水するための構成であることを特徴とする請求項３又は４記載の湯水混合栓柱。
【請求項６】
前記立上り外管の延長方向の中途部に、該立上り外管の内側と前記立上り内管の外側との間に形成される流路に開口する外管分岐接続口が設けられていることを特徴とする請求項１〜５のいずれかに記載の湯水混合栓柱。
【発明の詳細な説明】
【技術分野】
【０００１】
本発明は、水とお湯とが別々に供給される立上り管部を備えることで水栓柱状に起立した状態に設置され、前記立上り管部の上側に、供給された湯水を混合する湯水のミキシング部を備えることで湯水を混合させて吐出させることができる湯水混合栓柱に関する。
【背景技術】
【０００２】
従来、庭や公園等において水以外に湯も吐水することができる水栓柱として、下端が給水管に接続される給水用立上り管と、下端が給湯管に接続される給湯用立上り管と、両立上り管を並列状に内蔵する中空柱状ケーシングと、ケーシングの上端部に設けられかつ両立上り管の上端が接続される混合水栓とを備えている混合水栓柱（特許文献１及び２参照）が、提案されている。
【先行技術文献】
【特許文献】
【０００３】
【特許文献１】特開２００２−３４８９２０号公報（第１頁）
【特許文献２】特開２００１−２８８７８５号公報（第１頁）
【発明の概要】
【発明が解決しようとする課題】
【０００４】
湯水混合栓柱に関して解決しようとする課題は、従来の形態においては、二本の立上り管が、並列状に配されており、各々を通常の継手によって接続するものであるため、コンパクトでスタイリッシュな形状とすることが難しく、組み立て易くなる合理的な形態とすることが難しいことにある。
【０００５】
そこで、本発明の目的は、コンパクトでスタイリッシュに形成でき、組み立て易くなるなど、より合理的な形態に構成された湯水混合栓柱を提供することにある。
【課題を解決するための手段】
【０００６】
本発明は上記目的を達成するために次の構成を備える。
本発明にかかる湯水混合栓柱の一形態によれば、水とお湯とが別々に供給される立上り管部を備えることで水栓柱状に起立した状態に設置され、前記立上り管部の上側に、供給された湯水を混合する湯水のミキシング部を備えることで湯水を混合させて吐出させることができる湯水混合栓柱において、前記立上り管部が、立上り外管と、該立上り外管の内部に二重管となるように配された立上り内管とによって構成されている。
【０００７】
また、本発明にかかる湯水混合栓柱の一形態によれば、前記立上り管部が、水又はお湯の供給源である第１給液源及び第２給液源に接続されるように、前記第１給液源に接続されると共に前記立上り外管の下端に接続される連通路が形成された外管入口接続部、及び該外管入口接続部の下側に配されて前記第２給液源に接続されると共に前記立上り内管の下端に接続される連通路が形成された内管入口接続部が設けられている湯水入口本体を備えることを特徴とすることができる。
【０００８】
また、本発明にかかる湯水混合栓柱の一形態によれば、前記湯水のミキシング部が設けられ、且つ、前記立上り外管の上端に接続されると共に前記湯水のミキシング部への連通を開閉する第１水栓が形成される外管出口接続部、及び該外管出口接続部の上側に配されて前記立上り内管の上端に接続されると共に前記湯水のミキシング部への連通を開閉する第２水栓が形成される内管出口接続部が設けられている湯水出口本体を備えることを特徴とすることができる。
【０００９】
また、本発明にかかる湯水混合栓柱の一形態によれば、前記湯水出口本体が、前記湯水のミキシング部、前記第１水栓及び前記第２水栓が設けられる部位となるミキシング本体と、該ミキシング本体の上端を塞ぐと共に前記外管出口接続部の上端を塞ぐ部位、及び前記立上り内管の上端に接続されて前記内管出口接続部を構成する部位を備える内嵌胴体とによって構成されていることを特徴とすることができる。
【００１０】
また、本発明にかかる湯水混合栓柱の一形態によれば、前記第１給液源が給水源であり、前記立上り外管及び前記第１水栓が水を通水するための構成であって、前記第２給液源が給湯源であり、前記立上り内管及び前記第２水栓がお湯を通水するための構成であることを特徴とすることができる。
【００１１】
また、本発明にかかる湯水混合栓柱の一形態によれば、前記立上り外管の延長方向の中途部に、該立上り外管の内側と前記立上り内管の外側との間に形成される流路に開口する外管分岐接続口が設けられていることを特徴とすることができる。
【発明の効果】
【００１２】
本発明にかかる湯水混合栓柱によれば、コンパクトでスタイリッシュに形成でき、組み立て易くなるなど、より合理的な形態に構成できるという特別有利な効果を奏する。
【図面の簡単な説明】
【００１３】
【図１】本発明にかかる湯水混合栓柱の形態例を示す断面図である。
【図２】図１の形態例の上部の吐水口の部分を示す部分断面図である。
【図３】図１の形態例の斜視図である。
【図４】本発明にかかる湯水混合栓柱の他の形態例を示す断面図である。
【図５】図４の形態例の斜視図である。
【発明を実施するための形態】
【００１４】
以下、本発明にかかる湯水混合栓柱の形態例を添付図面（図１〜５）に基づいて詳細に説明する。本発明にかかる湯水混合栓柱は、水とお湯とが別々に供給される立上り管部２０を備えることで水栓柱状に起立した状態に設置され、その立上り管部２０の上側に、供給された湯水を混合する湯水のミキシング部３３を備えることで湯水を混合させて吐出させることができるものである。
【００１５】
そして、本発明にかかる湯水混合栓柱では、立上り管部２０が、立上り外管２１と、その立上り外管２１の内部に二重管となるように配された立上り内管２２とによって構成されている。すなわち、立上り管部２０が二重管であり、立上り外管２１と立上り内管２２との間のスペースが第１流路２３となって、立上り内管２２が第２流路２５として設けられた形態になっている。
【００１６】
この湯水混合栓柱によれば、コンパクトでスタイリッシュな形状とすることが可能で、組み立て易くなる合理的な形態を構成できるという特別有利な効果を奏する。すなわち、従来の湯水混合栓柱のような上部の左右（水平方向に配された湯水のミキシング部の両側）に水栓が配されて全体形状としてＴ字形状となる形態とは異なって、上下（鉛直方向）に、二つの水栓（後述する第１水栓５１及び第２水栓５２）が並べられた縦型状態に配される形態となり、コンパクトでスタイリッシュな形態とすることができる。また、立上り管部２０が、二重管であるため、上下の接続について、コンパクト化ができると共に、装着・固定作業を簡略化ができる組み立て易い合理的な形態とすることが可能になる。
【００１７】
また、本形態例では、立上り管部２０が、水又はお湯の供給源である第１給液源Ａ１及び第２給液源Ａ２と湯水のミキシング部３３との間に接続されるように、第１給液源Ａ１に接続されると共に立上り外管２１の下端２１ａに接続される連通路１１ａが形成された外管入口接続部１１、及びその外管入口接続部１１の下側に配されて第２給液源Ａ２に接続されると共に立上り内管２２の下端２２ａに接続される連通路１２ａが形成された内管入口接続部１２が設けられている湯水入口本体１０を備える。
【００１８】
これによれば、湯水入口本体１０という一つの部材に対して、第１給液源Ａ１及び第２給液源Ａ２を接続でき、シンプルな形態であると共に、簡単な作業によって立上り内管２２及び立上り外管２１を装着・固定できる形態になっている。なお、この湯水混合栓柱によれば、第１水栓５１及び第２水栓５２を随意に操作することで、水とお湯が混合され、任意に温度調整された湯水を吐出できると共に、水だけを出すことと、お湯だけを出すことができるのは勿論である。
【００１９】
さらに、具体的に本形態例の湯水入口本体１０では、設置された際の位置関係において、外管入口接続部１１の第１接続口１１ｂと、内管入口接続部１２の第２接続口１２ｂとが、側面６１（図３参照）に上下に位置されていると共に、外管入口接続部１１の連通路１１ａと、内管入口接続部１２の連通路１２ａとが、上下方向（縦方向）に連通され、上面が開放された上下連通路１３が形成されており、その上下連通路１３には、立上り外管２１の下端部が上側から挿入されて水密装着される第１の段部１１ｃと、その第１の段部１１ｃの下側に同軸で縮径された形状に設けられ、立上り内管２２の下端部が上側から挿入されて水密螺合固定される第２の段部１２ｃとが設けられている。
【００２０】
本形態例の第１接続口１１ｂと第２接続口１２ｂは、どちらも筒状に形成され、各々の内周が配管に接続されるようにテーパ雌螺子になっており、各々の外周端部が外筒６０に設けられた開口に内嵌されて固定リング１５によってネジ締めによって固定されている。また、立上り外管２１の下端部はＯリングパッキン２４で水密シールされ、立上り内管２２の下端部はＯリングパッキン２６で水密シールされている。
【００２１】
また、本形態例では、湯水のミキシング部３３が設けられ、且つ、立上り外管２１の上端２１ｂに接続されると共に湯水のミキシング部３３への連通を開閉する第１水栓５１が形成される外管出口接続部４１、及びその外管出口接続部４１の上側に配されて立上り内管２２の上端２２ｂに接続されると共に湯水のミキシング部３３への連通を開閉する第２水栓５２が形成される内管出口接続部４２が設けられている湯水出口本体３０を備える。
【００２２】
本形態例によれば、湯水出口本体３０という一つの部材に対して、立上り外管２１及び立上り内管２２を接続でき、シンプル且つ簡単な作業によって立上り外管２１及び立上り内管２２を装着・固定できる形態になっている。
また、本形態例によれば、図３に示すように、第２水栓５２と第１水栓５１とが、一方の側面６１で、上下に配され、その第２水栓５２と第１水栓５１とが装着された側面６１に対して前面６２に吐水パイプ７１が配された構成となっている。このため、従来の形態と比較し、スマートで、スタイリッシュな形態とすることができる。
【００２３】
さらに、具体的な本形態例の湯水出口本体３０では、設置された際の位置関係において、内管出口接続部４２の内管連通弁口４２ｂと、外管出口接続部４１の外管連通弁口４１ｂとが、内部側壁３１ａの上下に開口して形成されていると共に、内管出口接続部４２の連通路４２ａと、外管出口接続部４１の連通路４１ａとが、上下に連通され、下面が開放された出口側上下連通路４３が形成されており、その出口側上下連通路４３には、立上り外管２１の上端部が下側から挿入されて水密装着される出口側第１の段部４１ｃと、その出口側第１の段部４１ｃの上側に同軸で縮径された形状に設けられ、立上り内管２２の上端部が下側から挿入されて水密螺合固定される出口側第２の段部４２ｃとが設けられている。
【００２４】
また、本形態例の湯水出口本体３０では、出口側上下連通路４３が形成されている周壁部分であって前述の内部側壁３１ａとなっている部位をカバーするように形成された外側壁３１ｂが形成され、その外側壁３１ｂに上下に開口して、第２水栓５２の取付け口３０ｂと、第１水栓５１の取付け口３０ａとが設けられている。内部側壁３１ａと外側壁３１ｂとによって囲まれたスペースは、外管連通弁口４１ｂと内管連通弁口４２ｂとが連通できて湯水の混合が可能となるミキシング連通路３１ｃとなっている。
【００２５】
本形態例の第１水栓５１と第２水栓５２の構成は、湯水を識別するためのカラービス５０ｂの色が異なる他は同一になっており、湯水混合栓に用いられる一般的な水栓と同一の構成を備えている。すなわち、どちらの水栓も、ハンドル５０ａによって回動操作ができるスピンドル５０ｃと、そのスピンドル５０ｃの先端孔に軸方向に移動可能に嵌められて連通弁口（外管連通弁口４１ｂ、内管連通弁口４２ｂ）を開閉するコマパッキン５０ｅが装着された落ちコマ５０ｄと、液流の逆流を防止する逆止弁となるように落ちコマ５０ｄとスピンドル５０ｃとの間に配されたスプリング５０ｆとを備え、さらに、三角パッキン５０ｇ、パッキン押え５０ｈなどを備えている。
【００２６】
これによれば、湯水出口本体３０という一つの部材に対して、第１水栓５１及び第２水栓５２を、シンプル且つ簡単な作業によって装着できる簡易な形態になっている。また、第１水栓５１と第２水栓５２の構成が実質的に同一であり、互換性のある合理的な形態になっている。
【００２７】
さらに、本形態例では、湯水出口本体３０が、湯水のミキシング部３３、第１水栓５１及び第２水栓５２が設けられる部位となるミキシング本体３１と、そのミキシング本体３１の上端を塞ぐと共に外管出口接続部４１の上端を塞ぐ部位、及び立上り内管２２の上端２２ｂに接続されて内管出口接続部４２を構成する部位を備える内嵌胴体３２とによって構成されている。
【００２８】
すなわち、この内嵌胴体３２は、ミキシング本体３１の上下に開口した連通軸孔に挿入されるスプール形状に設けられており、ミキシング本体３１の上端開口であって湯水のミキシング部３３の上端開口である開口を閉塞水密シールすると共に、挿入が規制されるストッパとして機能する鍔部を備える上端閉塞ストッパ部３２ａと、その上端閉塞ストッパ部３２ａの下側に小径に括れた形状に設けられて湯水のミキシング部３３のミキシングスペースの一部を構成する小径軸部３２ｂと、その小径軸部３２ｂの下側に設けられて内管出口接続部４２の上端開口を閉塞水密シールする中途閉塞部３２ｃと、その中途閉塞部３２ｃの下側にＴ字形に形成されると共に立上り内管２２の上端に接続されて内管出口接続部４２を構成する内部連通路３２ｄと、その内部連通路３２ｄを形成する筒壁部であって外管出口接続部４１の上端開口を閉塞水密シールする筒壁状閉塞部３２ｅとを備えると共に、その筒壁状閉塞部３２ｅの下部には、立上り内管２２の上端部が下側から挿入されて水密螺合固定される前述の出口側第２の段部４２ｃが形成されている。なお、内嵌胴体３２の上記の各部による閉塞水密シールは、Ｏリングパッキン３５によってなされている。
【００２９】
これによれば、立上り内管２２の下端部を湯水入口本体１０（第２の段部１２ｃ）に螺合し、立上り内管２２の上端部を湯水出口本体３０（内嵌胴体３２の出口側第２の段部４２ｃ）に螺合することで、その立上り内管２２と共に立上り外管２１を、湯水入口本体１０と湯水出口本体３０との間に固定することができ、容易に組み立てることができる。
【００３０】
さらに詳細には、立上り内管２２の下端部の雄螺子が湯水入口本体１０の第２の段部１２ｃの部位に設けられた雌螺子に螺合され、立上り内管２２の上端部の雄螺子が内嵌胴体３２の出口側第２の段部４２ｃの部位に設けられた雌螺子に螺合される構成になっており、立上り外管２１が湯水入口本体１０とミキシング本体３１との間の間隔部材となっていることで、立上り外管２１と内嵌胴体３２の上端閉塞ストッパ部３２ａとの間にミキシング本体３１が挟まれて締め付け固定される構成になっている。このため、立上り内管２２の両端を螺子締めして固定することだけで、湯水入口本体１０、立上り内管２２、立上り外管２１、ミキシング本体３１及び内嵌胴体３２が相互に固定されることになり、容易に組み立てることができる。
【００３１】
図２に示すように、本形態例では、湯水出口本体３０の湯水のミキシング部３３の前面に開口された出口接続口３０ｃに、継手７２を介して吐水口７０を形成する吐水パイプ７１が装着されている。これによって、本形態例では、吐水口７０が、外筒６０の上部に設けられた形態となっている。
【００３２】
また、本形態例では、外筒６０に、第１水栓の取付け口３０ａ及び第２水栓の取付け口３０ｂが形成された湯水出口本体３０の各々の部位が固定リング３７によって固定され、その外筒６０の内部に、前述した湯水入口本体１０、立上り管部２０、及び湯水出口本体３０が内蔵された形態となっている。また、６３はキャップであり、外筒６０の上端及び下端を、各々を塞ぐように設けられている。外筒６０の下部側が地中に埋設され、起立されて設置される。なお、外筒６０の形態は、本形態例のような角筒に限定されるものではなく円筒等の他の形状であってもよいのは勿論である。
【００３３】
また、本形態例では、第１給液源Ａ１が給水源であり、立上り外管２１及び第１水栓５１が水を通水するための構成になっており、第２給液源Ａ２が給湯源であり、立上り内管２２及び第２水栓５２がお湯を通水するための構成になっている。
【００３４】
これによれば、お湯を通水する立上り内管２２が、水を通水する立上り外管２１によって内包されることになるため、熱量の全体として保温効果を高めることができる利点がある。なお、反対に高温のお湯を冷ますことが優先される場合などでは、第１給液源Ａ１を給湯源として第２給液源Ａ２を給水源とするように、入口の配管を反対に接続することができるのは勿論である。
【００３５】
また、本形態例では、図４、５に示すように立上り外管２１の延長方向の中途部に、その立上り外管２１の内側と立上り内管２２の外側との間に形成される流路（第１流路２３）に開口する外管分岐接続口８０が設けられている。本形態例の外管分岐接続口８０は、立上り外管２１の下部８１と立上り外管２１の上部８２が螺合されたチーズ８５の接続口によって構成されている。なお、立上り内管２２の内側によって形成される流路が、第２流路２５となっている。
【００３６】
これによれば、外管分岐接続口８０を、外筒６０の高さ方向の中途部にチーズ８５を介して適切且つ容易に設けることができる。この外管分岐接続口８０によれば、散水を行う際の散水用ホースを繋ぐ水栓口として利用し易いなど、利便性を向上できる。
【００３７】
また、本発明につき好適な形態例を挙げて種々説明してきたが、本発明は以上の形態例に限定されるものではなく、発明の精神を逸脱しない範囲内で多くの改変を施し得るのは勿論のことである。
【符号の説明】
【００３８】
Ａ１  第１給液源
Ａ２  第２給液源
１０  湯水入口本体
１１  外管入口接続部
１１ａ  連通路
１１ｂ  第１接続口
１１ｃ  第１の段部
１２  内管入口接続部
１２ａ  連通路
１２ｂ  第２接続口
１２ｃ  第２の段部
１３  上下連通路
１５  固定リング
２０  立上り管部
２１  立上り外管
２１ａ  下端
２１ｂ  上端
２２  立上り内管
２２ａ  下端
２２ｂ  上端
２３  第１流路
２４  Ｏリングパッキン
２５  第２流路
２６  Ｏリングパッキン
３０  湯水出口本体
３０ａ  第１水栓の取付け口
３０ｂ  第２水栓の取付け口
３０ｃ  出口接続口
３１  ミキシング本体
３１ａ  内部側壁
３１ｂ  外側壁
３１ｃ  ミキシング連通路
３２  内嵌胴体
３２ａ  上端閉塞ストッパ部
３２ｂ  小径軸部
３２ｃ  中途閉塞部
３２ｄ  内部連通路
３２ｅ  筒壁状閉塞部
３３  湯水のミキシング部
３５  Ｏリングパッキン
３７  固定リング
４１  外管出口接続部
４１ａ  連通路
４１ｂ  外管連通弁口
４１ｃ  出口側第１の段部
４２  内管出口接続部
４２ａ  連通路
４２ｂ  内管連通弁口
４２ｃ  出口側第２の段部
４３  出口側上下連通路
５０ａ  ハンドル
５０ｂ  カラービス
５０ｃ  スピンドル
５０ｄ  落ちコマ
５０ｅ  コマパッキン
５０ｆ  スプリング
５０ｇ  三角パッキン
５０ｈ  パッキン押え
５１  第１水栓
５２  第２水栓
６０  外筒
６１  側面
６２  前面
６３  キャップ
７０  吐水口
７１  吐水パイプ
７２  継手
８０  外管分岐接続口
８１  立上り外管の下部
８２  立上り外管の上部
８５  チーズ
【図１】
2019178493.tif 000003
【図２】
2019178493.tif 000004
【図３】
2019178493.tif 000005
【図４】
2019178493.tif 000006
【図５】
2019178493.tif 000007